【事件の表示】
　特願２０１１−１７３５５１「カードリーダ」拒絶査定不服審判事件〔平成２５年　２月２１日出願公開、特開２０１３−　３７５５５、請求項の数（８）〕について、次のとおり審決する。
【結　論】
　原査定を取り消す。
　本願の発明は、特許すべきものとする。
【理　由】
第１．手続の経緯 
　本願は，平成２３年８月９日を出願日とする出願であって，平成２７年１月２３日付けで拒絶理由通知がなされ，同年３月２３日付けで意見書の提出とともに手続補正がなされたが，同年８月２７日付けで拒絶査定がなされ，これに対して同年１１月２６日付けで拒絶査定不服審判請求がなされるとともに同日付けで手続補正がなされたものである。 
 　 
第２．平成２７年１１月２６日付けの手続補正（以下，「本件補正」という。）の適否
１．本件補正及び本件補正前の特許請求の範囲
（本件補正）
「【請求項１】
　カードに記録された磁気データの読取および／または前記カードへの磁気データの記録を行う磁気ヘッドを備えるカードリーダにおいて，
　前記カードが挿入される挿入口が形成されるカード挿入部と，前記カード挿入部の前面側に異物が取り付けられたことを検知するための異物検知装置と，前記異物検知装置の近傍に配置され前記異物検知装置の周囲温度を測定する温度センサと，前記カードリーダを制御する制御部とを備え，
　前記異物検知装置は，磁性材料で形成されるコアと，前記コアに巻回される励磁用コイルおよび検出用コイルとを備え，
　前記温度センサは，前記励磁用コイルの端部および前記検出用コイルの端部が接続される端子が実装された中継基板に実装されるとともに，前記中継基板の，前記端子が接続されるランドの近傍に実装され，
　前記制御部は，前記温度センサからの出力信号を継続的に監視するとともに，前記温度センサで測定された前記異物検知装置の周囲温度が所定の上限値以下でかつ所定の下限値以上である場合，前記カード挿入部の前面側に前記異物が取り付けられたか否かを判別する異物検知処理の際に前記温度センサで測定される前記異物検知装置の周囲温度に応じた温度補正処理を実行し，前記温度センサで測定される前記異物検知装置の周囲温度が前記上限値を超えるか前記下限値未満である場合，前記異物検知装置に異常が生じているとして，異常処理を実行することを特徴とするカードリーダ。
　　【請求項２】
　前記制御部は，前記温度補正処理として，前記カード挿入部の前面側に前記異物が取り付けられたか否かを判別するために前記異物検知装置からの出力値と比較される閾値を，前記温度センサで測定される前記異物検知装置の周囲温度に応じて補正することを特徴とする請求項１記載のカードリーダ。
　　【請求項３】
　前記制御部は，前記異常処理として，前記カードリーダが搭載される上位装置へ異常発生信号を出力することを特徴とする請求項１または２記載のカードリーダ。
　　【請求項４】
　前記異物検知装置は，金属材料を含む前記異物が前記カード挿入部の前面側に取り付けられたことを検知するための金属センサであることを特徴とする請求項１から３のいずれかに記載のカードリーダ。
　　【請求項５】
　前記カード挿入部は，前記カード挿入部の前方に向かって突出する中空状の突出部を備え，
　前記金属センサおよび前記中継基板は，前記突出部の内部に配置されていることを特徴とする請求項４記載のカードリーダ。
　　【請求項６】
　カードに記録された磁気データの読取および／または前記カードへの磁気データの記録を行う磁気ヘッドを備えるカードリーダにおいて，
　前記カードが挿入される挿入口が形成されるカード挿入部と，前記カード挿入部の前面側に配置され磁界を発生させる磁界発生装置と，前記磁界発生装置の近傍に配置され前記磁界発生装置の周囲温度を測定する温度センサと，前記カードリーダを制御する制御部とを備え，
　前記磁界発生装置は，磁性材料で形成されるコアと，前記コアに巻回される励磁用コイルおよび検出用コイルとを備え，
　前記温度センサは，前記励磁用コイルの端部および前記検出用コイルの端部が接続される端子が実装された中継基板に実装されるとともに，前記中継基板の，前記端子が接続されるランドの近傍に実装され，
　前記制御部は，前記温度センサからの出力信号を継続的に監視するとともに，前記温度センサで測定された前記磁界発生装置の周囲温度が所定の上限値以下でかつ所定の下限値以上である場合，前記温度センサで測定される前記磁界発生装置の周囲温度に応じた温度補正処理を実行し，前記温度センサで測定される前記磁界発生装置の周囲温度が前記上限値を超えるか前記下限値未満である場合，前記磁界発生装置に異常が生じているとして，異常処理を実行することを特徴とするカードリーダ。
　　【請求項７】
　前記磁界発生装置は，前記カード挿入部の前面側に金属材料を含む異物が取り付けられたことを検知するための金属センサであり，
　前記制御部は，前記温度補正処理として，前記カード挿入部の前面側に前記異物が取り付けられたか否かを判別するために前記金属センサからの出力値と比較される閾値を，前記温度センサで測定される前記金属センサの周囲温度に応じて補正することを特徴とする請求項６記載のカードリーダ。
　　【請求項８】
　前記制御部は，前記異常処理として，前記カードリーダが搭載される上位装置へ異常発生信号を出力することを特徴とする請求項６または７記載のカードリーダ。
  　
（本件補正前）
「【請求項１】
　カードに記録された磁気データの読取および／または前記カードへの磁気データの記録を行う磁気ヘッドを備えるカードリーダにおいて，
　前記カードが挿入される挿入口が形成されるカード挿入部と，前記カード挿入部の前面側に異物が取り付けられたことを検知するための異物検知装置と，前記異物検知装置の近傍に配置され前記異物検知装置の周囲温度を測定する温度センサと，前記カードリーダを制御する制御部とを備え，
　前記制御部は，前記温度センサで測定された前記異物検知装置の周囲温度が所定の上限値以下でかつ所定の下限値以上である場合，前記カード挿入部の前面側に前記異物が取り付けられたか否かを判別する異物検知処理の際に前記温度センサで測定される前記異物検知装置の周囲温度に応じた温度補正処理を実行し，前記温度センサで測定される前記異物検知装置の周囲温度が前記上限値を超えるか前記下限値未満である場合，前記異物検知装置に異常が生じているとして，異常処理を実行し，
　前記異物検知装置は，磁性材料で形成されるコアと，前記コアに巻回される励磁用コイルおよび検出用コイルとを備え，
　前記温度センサは，前記励磁用コイルの端部および前記検出用コイルの端部が接続される端子が実装された中継基板に実装されていることを特徴とするカードリーダ。
　　【請求項２】
　前記制御部は，前記温度補正処理として，前記カード挿入部の前面側に前記異物が取り付けられたか否かを判別するために前記異物検知装置からの出力値と比較される閾値を，前記温度センサで測定される前記異物検知装置の周囲温度に応じて補正することを特徴とする請求項１記載のカードリーダ。
　　【請求項３】
　前記制御部は，前記異常処理として，前記カードリーダが搭載される上位装置へ異常発生信号を出力することを特徴とする請求項１または２記載のカードリーダ。
　　【請求項４】
　前記異物検知装置は，金属材料を含む前記異物が前記カード挿入部の前面側に取り付けられたことを検知するための金属センサであることを特徴とする請求項１から３のいずれかに記載のカードリーダ。
　　【請求項５】
　前記カード挿入部は，前記カード挿入部の前方に向かって突出する中空状の突出部を備え，
　前記金属センサおよび前記中継基板は，前記突出部の内部に配置されていることを特徴とする請求項４記載のカードリーダ。
　　【請求項６】
　前記制御部は，前記温度センサからの出力信号を継続的に監視していることを特徴とする請求項１から５のいずれかに記載のカードリーダ。
　　【請求項７】
　カードに記録された磁気データの読取および／または前記カードへの磁気データの記録を行う磁気ヘッドを備えるカードリーダにおいて，
　前記カードが挿入される挿入口が形成されるカード挿入部と，前記カード挿入部の前面側に配置され磁界を発生させる磁界発生装置と，前記磁界発生装置の近傍に配置され前記磁界発生装置の周囲温度を測定する温度センサと，前記カードリーダを制御する制御部とを備え，
　前記制御部は，前記温度センサで測定された前記磁界発生装置の周囲温度が所定の上限値以下でかつ所定の下限値以上である場合，前記温度センサで測定される前記磁界発生装置の周囲温度に応じた温度補正処理を実行し，前記温度センサで測定される前記磁界発生装置の周囲温度が前記上限値を超えるか前記下限値未満である場合，前記磁界発生装置に異常が生じているとして，異常処理を実行し，
　前記磁界発生装置は，磁性材料で形成されるコアと，前記コアに巻回される励磁用コイルおよび検出用コイルとを備え，
　前記温度センサは，前記励磁用コイルの端部および前記検出用コイルの端部が接続される端子が実装された中継基板に実装されていることを特徴とするカードリーダ。
　　【請求項８】
　前記磁界発生装置は，前記カード挿入部の前面側に金属材料を含む異物が取り付けられたことを検知するための金属センサであり，
　前記制御部は，前記温度補正処理として，前記カード挿入部の前面側に前記異物が取り付けられたか否かを判別するために前記金属センサからの出力値と比較される閾値を，前記温度センサで測定される前記金属センサの周囲温度に応じて補正することを特徴とする請求項７記載のカードリーダ。
　　【請求項９】
　前記制御部は，前記異常処理として，前記カードリーダが搭載される上位装置へ異常発生信号を出力することを特徴とする請求項７または８記載のカードリーダ。」
　　
２．補正の内容
（１）請求項１について
　本件補正は，特許請求の範囲の請求項１を，
「温度センサ」について，「前記中継基板の，前記端子が接続されるランドの近傍に実装され」との事項を追加する補正（以下，「補正事項１」という。），
　また，「制御部」について，前記温度センサからの出力信号を継続的に監視するとともに」との事項を追加する補正（以下，「補正事項２」という。）を含んでいる。
（２）請求項６について
　本件補正は，特許請求の範囲の請求項６を，
「温度センサ」について，「前記中継基板の，前記端子が接続されるランドの近傍に実装され」との事項を追加する補正（以下，「補正事項３」という。），
　また，「制御部」について，「前記温度センサからの出力信号を継続的に監視するとともに」との事項を追加する補正（以下，「補正事項４」という。）を含んでいる。
（３）本件補正により，平成２７年３月２３日付け手続補正による特許請求の範囲の請求項６は削除された。（以下，「補正事項５」という。）
　　
３．補正の適否
（１）請求項１について
　本件補正による補正事項１は，請求項１に記載した発明を特定するために必要な事項である「温度センサ」について，明細書の第【００４７】段落の記載に基づき「前記中継基板の，前記端子が接続されるランドの近傍に実装され」との限定を付加するものである。
　また，本件補正による補正事項２は，請求項１に記載した発明を特定するために必要な事項である「制御部」について，本件補正前の平成２７年３月２３日付け手続補正による特許請求の範囲の請求項６の記載に基づき「前記温度センサからの出力信号を継続的に監視するとともに」との限定を付加するものである。
　そして，本件補正前の請求項１に記載された発明と本件補正後の請求項１に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項１に記載された発明（以下，「補正発明１」という。）が特許法第１７条の２第６項において準用する同法第１２６条第７項の規定に適合するか（特許出願の際独立して特許を受けることができるものであるか）について以下に検討する。
ア．引用例
（ア）原査定の拒絶の理由に引用された国際公開第２０１１／０９３３４０号（以下，「引用例１」という。）には，図面とともに，次の事項が記載されている。なお，下線は当審において付与したものである。
ａ．「［0032］本形態の
カードリーダ１は
カード２に記録された磁気データの読取およびカード２への磁気データの記録の少なくとも一方を行うための装置である
たとえば，ＡＴＭ等の所定の上位装置に搭載されて使用される
［0033］
カードリーダ１は
磁気データの読取および磁気データの記録の少なくとも一方を行う磁気ヘッド３
カード２が挿入される挿入口６が形成されるカード挿入部７と
［0034］本形態では，図１等に示すＸ方向にカード２が通過する。具体的には，Ｘ１方向にカード２が挿入され，Ｘ２方向にカード２が抜き取られる。すなわち，Ｘ１方向は，カード２の挿入方向であり，Ｘ２方向は，カード２の抜取り方向である。また，Ｘ方向に略直交する図１等のＺ方向は，カード２の厚さ方向であり，Ｘ方向とＺ方向とに略直交する図１等のＹ方向は，カード２の幅方向（短手幅方向）である。なお，以下の説明では，Ｘ１方向側を「奥（後ろ）」側，Ｘ２方向側を「手前（前）」側，Ｙ１方向側を「右」側，Ｙ２方向側を「左」側，Ｚ１方向側を「上」側，Ｚ２方向側を「下」側とする。
［0035］また，
カードリーダ１は
カード挿入部７の前面側に金属材料を含む異物が取り付けられたことを検知するための金属センサ１３とを備えている
ｂ．「［0050］ 
金属センサ１３は，後述の励磁用コイル２２，２３が発生させる磁界の変化を後述の検出用コイル２４で検出して金属部材を検知する磁気センサである
［0051］（金属センサの構成）
　図４は，図２に示す金属センサ１３の正面図である。図５は，図２に示す金属センサ１３の構成を説明するための図である。
［0052］
金属センサ１３は，磁性材料で形成されるコア２１と，コア２１の中心軸ＣＬを中心に巻回される一対の励磁用コイル２２，２３および検出用コイル２４と，励磁用コイル２２，２３の端部が接続される端子２５#２７と，検出用コイル２４の端部が接続される端子２８，２９とを備えている
ｃ．「［0066］ここで，図６に示すように，
犯罪者によって，カード挿入部７の前面側の，検知可能領域Ｒ１，Ｒ２にスキミング用磁気ヘッド５１を備えるスキミング装置５２が取り付けられると，スキミング用磁気ヘッド５１は少なくとも金属部材を備えているため，金属センサ１３がスキミング装置５２を検知する
［0067］本形態では，金属センサ１３が金属部材を検知すると，たとえ，赤外線センサ１２が人間の動きを検知しても，抜取り防止レバー５がカード通過路８を閉鎖した状態を維持する。すなわち，本形態では，
金属センサ１３がスキミング装置５２を検知した場合には
抜取り防止レバー５がカード通過路８を閉鎖した状態を維持して，ユーザによるカード２の挿入を阻止する。また，金属センサ１３がスキミング装置５２を検知した場合には，カードリーダ１は，上位装置に対して異常が発生したことを知らせる異常信号を送信する
ｄ．以上のａ〜ｃの記載によれば，引用例１には以下の発明（以下，「引用発明」という。）が記載されているものと認められる。
「カードリーダ１は，カード２に記録された磁気データの読取およびカード２への磁気データの記録の少なくとも一方を行うための装置であって，たとえば，ＡＴＭ等の所定の上位装置に搭載されて使用されるものであり，
　カードリーダ１は，磁気データの読取および磁気データの記録の少なくとも一方を行う磁気ヘッド３と，カード２が挿入される挿入口６が形成されるカード挿入部７と，カード挿入部７の前面側に金属材料を含む異物が取り付けられたことを検知するための金属センサ１３とを備え，
　金属センサ１３は，後述の励磁用コイル２２，２３が発生させる磁界の変化を後述の検出用コイル２４で検出して金属部材を検知する磁気センサであり，金属センサ１３は，磁性材料で形成されるコア２１と，コア２１の中心軸ＣＬを中心に巻回される一対の励磁用コイル２２，２３および検出用コイル２４と，励磁用コイル２２，２３の端部が接続される端子２５#２７と，検出用コイル２４の端部が接続される端子２８，２９とを備えており，
　犯罪者によって，カード挿入部７の前面側の，検知可能領域Ｒ１，Ｒ２にスキミング用磁気ヘッド５１を備えるスキミング装置５２が取り付けられると，スキミング用磁気ヘッド５１は少なくとも金属部材を備えているため，金属センサ１３がスキミング装置５２を検知し，金属センサ１３がスキミング装置５２を検知した場合には，抜取り防止レバー５がカード通過路８を閉鎖した状態を維持して，ユーザによるカード２の挿入を阻止し，また，金属センサ１３がスキミング装置５２を検知した場合には，カードリーダ１は，上位装置に対して異常が発生したことを知らせる異常信号を送信する，カードリーダ１。」
　　
（イ）原査定の拒絶の理由に引用された特開２００９−１６９６５２号公報（以下，「引用例２」という。）には，図面とともに，次の事項が記載されている。なお，下線は当審において付与したものである。
ａ．「【背景技術】
【０００２】
　近年，
クレジットカード，キャッシュカード等を利用し決済を行う決済端末において
【０００３】
　この様な事件では，磁気カードデータを不正に読み取る手段として，決済端末内部に磁気カードデータを読み取るためのスキミング装置が取り付けられていることが多い。
【０００４】
　この様なスキミング装置を決済端末内部に設置するためには，決済端末の上蓋を開く必要がある。
【０００５】
　そのため，決済端末に対する，スキミング装置を設置する等の不正工作を検出するために，決済端末の上蓋の物理的開閉を監視する方法が講じられている。
　・・・
【発明が解決しようとする課題】
【０００７】
　しかし，最近では，
決済端末の上蓋を開けることなく，決済端末に穴を開け，そこからスキミング装置を設置する等の不正工作が行なわれるケースが増えている
【０００８】
　そのため，上述したような，決済端末の上蓋の物理的開閉を監視する方法だけでは，不正工作を検出しきれなくなっている。
【０００９】
　また，決済端末の上蓋の物理的開閉を監視するスイッチ・センサは，上蓋の開閉を検出するための機械接点を有するものが多く，外部振動・衝撃に弱く，誤検出が発生するケースも多々見受けられる。
【００１０】
　そのため，決済端末においては，
スキミング装置を設置する等の不正工作を，決済端末の上蓋の物理的開閉を監視する方法以外の方法で検出する必要があるという課題がある
　【００１１】
　本発明の目的は，上述した課題を解決することができる決済端末および決済端末が行う不正工作検出方法を提供することにある。」
ｂ．「【００１８】
（第１の実施形態）
　図１に，本発明の第１の実施形態の決済端末の構成を示す。
【００１９】
　図１に示すように，本実施形態の
決済端末は，内部温度センサ１１０と，温度センサコントロール部１３０と，温度コントロール部１４０と，異常検出制御部１５０と，を有している。
【００２０】
　
内部温度センサ１１０は，決済端末の内部温度を計測する
【００２１】
　
温度センサコントロール部１３０は，内部温度センサ１１０が計測した決済端末の内部温度が，あらかじめ設定されている温度範囲に収まっているかを一定時間間隔で判定する。温度センサコントロール部１３０は，決済端末の内部温度が温度範囲に収まっていない場合，内部温度が最後に温度範囲に収まっていた時刻から，あらかじめ設定されている飽和時間が経過しているかを判定する
【００２２】
　
温度コントロール部１４０は，内部温度が最後に温度範囲に収まっていた時刻から，飽和時間が経過していない場合，決済端末の内部温度が温度範囲に収まるように決済端末の内部温度の調整を行う。
【００２３】
　
異常検出制御部１５０は，内部温度が最後に温度範囲に収まっていた時刻から，飽和時間が経過している場合，不正工作が行われていると判断し，あらかじめ設定されている連絡先に異常警報を送信する
　・・・（途中省略）・・・
【００３１】
　そのため，
決済端末にスキミング装置を設置する等の不正工作を行うために，決済端末の上蓋を開放もしくは穴を開けた場合，外気が流入し，飽和時間内に決済端末の内部温度が温度範囲に収まらなくなるため，不正工作が行われていると判断される
ｃ．以上のａ及びｂの記載によると，引用例２には以下の技術（以下，「引用例２記載技術」という。）が記載されているものと認められる。
「クレジットカード，キャッシュカード等を利用し決済を行う決済端末において，決済端末の上蓋を開けることなく，決済端末に穴を開け，そこからスキミング装置を設置する等の不正工作が行なわれるケースが増えていることから，スキミング装置を設置する等の不正工作を，決済端末の上蓋の物理的開閉を監視する方法以外の方法で検出する必要があるという課題を解決するために，
　決済端末は，内部温度センサ１１０と，温度センサコントロール部１３０と，温度コントロール部１４０と，異常検出制御部１５０と，を有し
　内部温度センサ１１０は，決済端末の内部温度を計測し，
　温度センサコントロール部１３０は，内部温度センサ１１０が計測した決済端末の内部温度が，あらかじめ設定されている温度範囲に収まっているかを一定時間間隔で判定し，
　温度センサコントロール部１３０は，決済端末の内部温度が温度範囲に収まっていない場合，内部温度が最後に温度範囲に収まっていた時刻から，あらかじめ設定されている飽和時間が経過しているかを判定し，
　温度コントロール部１４０は，内部温度が最後に温度範囲に収まっていた時刻から，飽和時間が経過していない場合，決済端末の内部温度が温度範囲に収まるように決済端末の内部温度の調整を行い，
　異常検出制御部１５０は，内部温度が最後に温度範囲に収まっていた時刻から，飽和時間が経過している場合，不正工作が行われていると判断し，あらかじめ設定されている連絡先に異常警報を送信しすることで，
　決済端末にスキミング装置を設置する等の不正工作を行うために，決済端末の上蓋を開放もしくは穴を開けた場合，外気が流入し，飽和時間内に決済端末の内部温度が温度範囲に収まらなくなるため，不正工作が行われていると判断する技術。」
  　
（ウ）原査定の拒絶の理由に引用された特開平８−３３５２８８号公報（以下，「引用例３」という。）には，図面とともに，次の事項が記載されている。なお，下線は当審において付与したものである。
ａ．「【０００４】
【発明が解決しようとする課題】
　ところが，上述したような
紙幣入金機の異物処理装置では，検知コイルの検出値が，予め設定したしきい値を越えたか否かによって，異物である金属物の存在を判定するようにしているが，検知コイルの発振周波数は，温度や印加電圧の変動によって変化するので，これによって紙幣装填部に金属物が存在しても，検知コイルの検出値がしきい値を越えずに当該金属物を検知できないことがあり，検知精度の点で問題があった
ｂ．「【００２０】
【実施例】以下，本発明に係わる混入金属検知装置の一実施例を図１〜図４に基づいて説明する。図１は本発明が適用された
紙幣入金機の
紙幣Ｓが集積状態で載置される紙幣載置板
【００２１】紙幣載置板１の下方位置には，紙幣Ｓの蹴り出し方向と直交する方向の支軸７を中心として回転し，その周面上部が紙幣載置板１の上面から僅かに突出している蹴り出しローラ６が設けられており，この蹴り出しローラ６の回転によって，紙幣載置板１上に載置された紙幣Ｓが下側から矢印ａ方向に一枚ずつ蹴り出されるようになっている。また，紙幣載置板１には，図２に示すように該紙幣載置板１上の紙幣Ｓの有無を検知する紙幣検知センサ５が設けられている。
【００２２】一方，
紙幣載置板１の裏側には，紙幣載置板１近傍に異物である金属物（例えば，硬貨，金属片など）が混入しているか否かを検知するための検知コイル４が設けられている。
この検知コイル４に対して，当該検知コイル４のインダクタンスに応じた周波数を発振し，この周波数の変化によって，この検知コイル４の周辺に生じている磁束中に，異物である混入金属が存在するか否かを判定するものである
ｃ．「【００４１】以上詳細に説明したように本実施例に示す
紙幣入金機における混入金属検知装置によれば，ステップ１にて，検知コイル４にて検出された検出値をサンプリングした後，ステップ４にて，該検知コイル４の検出値から得られたサンプリング値ＳＤに対して，予め設定しておいた四則演算を行うことによって，紙幣載置板１近傍に混入金属が存在するか否かの基準となる設定しきい値ＣＤを設定する
そしてその後，ステップ２・７・１０にて，該ステップ４にて設定された設定しきい値ＣＤと，ステップ１・６・９にてサンプリングされたサンプリング値ＳＤとを比較し，当該サンプリング値ＳＤが，ステップ４にて設定された設定しきい値ＣＤを越えたことが検知されたとの比較結果を得た場合に（ステップ２のＯＶＥＲ，ステップ７のＯＶＥＲ，ステップ１０のＯＶＥＲ），紙幣載置板１近傍に混入金属が存在すると判定し
紙幣載置板１の近傍に混入金属が存在しているか否かの判定基準となる設定しきい値ＣＤは，ステップ４にて，時間の経過に合わせて順次設定変更するようにしているので，当該設定しきい値ＣＤを，周囲の温度，印加電圧といった周辺条件に合わせた最適値とすることができ，従来のように温度，印加電圧といった周辺条件が変化した場合であっても確実に混入金属を検知できる効果が得られる
ｄ．以上のａ〜ｃの記載によると，引用例３には以下の技術（以下，「引用例３記載技術」という。）が記載されているものと認められる。
「紙幣入金機の異物処理装置では，検知コイルの検出値が，予め設定したしきい値を越えたか否かによって，異物である金属物の存在を判定するようにしているが，検知コイルの発振周波数は，温度や印加電圧の変動によって変化するので，これによって紙幣装填部に金属物が存在しても，検知コイルの検出値がしきい値を越えずに当該金属物を検知できないことがあり，検知精度の点で問題があったという課題を解決するために，
　紙幣入金機の紙幣Ｓが集積状態で載置される紙幣載置板の裏側に，紙幣載置板１近傍に異物である金属物（例えば，硬貨，金属片など）が混入しているか否かを検知するための検知コイル４が設けられ，この検知コイル４に対して，当該検知コイル４のインダクタンスに応じた周波数を発振し，この周波数の変化によって，この検知コイル４の周辺に生じている磁束中に，異物である混入金属が存在するか否かを判定するものであり，
　紙幣入金機における混入金属検知装置によれば，ステップ１にて，検知コイル４にて検出された検出値をサンプリングした後，ステップ４にて，該検知コイル４の検出値から得られたサンプリング値ＳＤに対して，予め設定しておいた四則演算を行うことによって，紙幣載置板１近傍に混入金属が存在するか否かの基準となる設定しきい値ＣＤを設定し，そしてその後，ステップ２・７・１０にて，該ステップ４にて設定された設定しきい値ＣＤと，ステップ１・６・９にてサンプリングされたサンプリング値ＳＤとを比較し，当該サンプリング値ＳＤが，ステップ４にて設定された設定しきい値ＣＤを越えたことが検知されたとの比較結果を得た場合に（ステップ２のＯＶＥＲ，ステップ７のＯＶＥＲ，ステップ１０のＯＶＥＲ），紙幣載置板１近傍に混入金属が存在すると判定し，
　紙幣載置板１の近傍に混入金属が存在しているか否かの判定基準となる設定しきい値ＣＤは，ステップ４にて，時間の経過に合わせて順次設定変更するようにしているので，当該設定しきい値ＣＤを，周囲の温度，印加電圧といった周辺条件に合わせた最適値とすることができ，従来のように温度，印加電圧といった周辺条件が変化した場合であっても確実に混入金属を検知できる効果が得られる，技術。」
　　
イ．対比
　補正発明１と引用発明を対比する。
（ア）補正発明１の「カードに記録された磁気データの読取および／または前記カードへの磁気データの記録を行う磁気ヘッドを備えるカードリーダ」との事項について，引用発明の「カードリーダ１は，カード２に記録された磁気データの読取およびカード２への磁気データの記録の少なくとも一方を行うための装置であって，たとえば，ＡＴＭ等の所定の上位装置に搭載されて使用されるものであり」及び「カードリーダ１は，磁気データの読取および磁気データの記録の少なくとも一方を行う磁気ヘッド３と，カード２が挿入される挿入口６が形成されるカード挿入部７と，カード挿入部７の前面側に金属材料を含む異物が取り付けられたことを検知するための金属センサ１３とを備え」との事項によると，「カードリーダ１」は，「カード２に記録された磁気データの読取およびカード２への磁気データの記録の少なくとも一方を行うための装置」であり，また，「カードリーダ１」は「磁気データの読取および磁気データの記録の少なくとも一方を行う磁気ヘッド３」を備えている。
　そうすると，補正発明１と引用発明は，
「カードに記録された磁気データの読取および／または前記カードへの磁気データの記録を行う磁気ヘッドを備えるカードリーダ」
である点で一致する。
（イ）補正発明１の「前記カードが挿入される挿入口が形成されるカード挿入部と，前記カード挿入部の前面側に異物が取り付けられたことを検知するための異物検知装置と，前記異物検知装置の近傍に配置され前記異物検知装置の周囲温度を測定する温度センサと，前記カードリーダを制御する制御部とを備え」との事項について，引用発明の「カードリーダ１は，磁気データの読取および磁気データの記録の少なくとも一方を行う磁気ヘッド３と，カード２が挿入される挿入口６が形成されるカード挿入部７と，カード挿入部７の前面側に金属材料を含む異物が取り付けられたことを検知するための金属センサ１３とを備え」との事項によると，引用発明も「カード２が挿入される挿入口６が形成されるカード挿入部７」を備えており，これは補正発明１の「前記カードが挿入される挿入口が形成されるカード挿入部」に相当するものである。
　また，引用発明は「カード挿入部７の前面側に金属材料を含む異物が取り付けられたことを検知するための金属センサ１３」を備えており，この「金属センサ１３」は補正発明１の「異物検知装置」の一つであるから，補正発明１の「前記カード挿入部の前面側に異物が取り付けられたことを検知するための異物検知装置」に相当するものである。
　そうすると，補正発明１と引用発明は，
「前記カードが挿入される挿入口が形成されるカード挿入部と，前記カード挿入部の前面側に異物が取り付けられたことを検知するための異物検知装置とを備え」
る点で共通し，
　補正発明１の「前記異物検知装置の近傍に配置され前記異物検知装置の周囲温度を測定する温度センサと，前記カードリーダを制御する制御部」を引用発明が備えていない点で相違している。
（ウ）補正発明１の「前記異物検知装置は，磁性材料で形成されるコアと，前記コアに巻回される励磁用コイルおよび検出用コイルとを備え」との事項について，引用発明の「金属センサ１３は，後述の励磁用コイル２２，２３が発生させる磁界の変化を後述の検出用コイル２４で検出して金属部材を検知する磁気センサであり，金属センサ１３は，磁性材料で形成されるコア２１と，コア２１の中心軸ＣＬを中心に巻回される一対の励磁用コイル２２，２３および検出用コイル２４，励磁用コイル２２，２３の端部が接続される端子２５#２７と，検出用コイル２４の端部が接続される端子２８，２９とを備えており」によると，引用発明の「金属センサ１３」も，「磁性材料で形成されるコア２１」と，「コア２１の中心軸ＣＬを中心に巻回される一対の励磁用コイル２２，２３および検出用コイル２４」を備えるものである。
　そうすると，補正発明１と引用発明は，
「前記異物検知装置は，磁性材料で形成されるコアと，前記コアに巻回される励磁用コイルおよび検出用コイルとを備え」
る点で一致する。
（エ）補正発明１の「前記制御部は，前記温度センサからの出力信号を継続的に監視するとともに，前記温度センサで測定された前記異物検知装置の周囲温度が所定の上限値以下でかつ所定の下限値以上である場合，前記カード挿入部の前面側に前記異物が取り付けられたか否かを判別する異物検知処理の際に前記温度センサで測定される前記異物検知装置の周囲温度に応じた温度補正処理を実行し，前記温度センサで測定される前記異物検知装置の周囲温度が前記上限値を超えるか前記下限値未満である場合，前記異物検知装置に異常が生じているとして，異常処理を実行する」との事項について，引用発明の「犯罪者によって，カード挿入部７の前面側の，検知可能領域Ｒ１，Ｒ２にスキミング用磁気ヘッド５１を備えるスキミング装置５２が取り付けられると，スキミング用磁気ヘッド５１は少なくとも金属部材を備えているため，金属センサ１３がスキミング装置５２を検知し，金属センサ１３がスキミング装置５２を検知した場合には，抜取り防止レバー５がカード通過路８を閉鎖した状態を維持して，ユーザによるカード２の挿入を阻止し，また，金属センサ１３がスキミング装置５２を検知した場合には，カードリーダ１は，上位装置に対して異常が発生したことを知らせる異常信号を送信する」との事項によると，引用発明も「カード挿入部７の前面側の，検知可能領域Ｒ１，Ｒ２にスキミング用磁気ヘッド５１を備えるスキミング装置５２が取り付けられる」と，「金属センサ１３がスキミング装置５２を検知し」，「抜取り防止レバー５がカード通過路８を閉鎖した状態を維持して，ユーザによるカード２の挿入を阻止し」，また，「カードリーダ１は，上位装置に対して異常が発生したことを知らせる異常信号を送信する」などのいわゆる異常処理を実行するものであるから，補正発明１の「前記カード挿入部の前面側に前記異物が取り付けられたか否かを判別する異物検知処理」により「異常処理を実行する」点で共通している。
　また，引用発明の「カードリーダ１」でも，読み取り及び書き込み制御，上記「金属センサ１３」による異物の検知及び異常処理のための制御が行われていることは明らかであって，記載がなくとも「カードリーダ１」を制御する制御部が存在することは当業者であれば自明である。
　そうすると，補正発明１と引用発明は，
「カードリーダを制御する制御部」を備える点，及び「前記制御部は，前記カード挿入部の前面側に前記異物が取り付けられたか否かを判別する異物検知処理により，異常処理を実行する」
点で共通し，
　補正発明１では「前記制御部は，前記温度センサからの出力信号を継続的に監視するとともに，前記温度センサで測定された前記異物検知装置の周囲温度が所定の上限値以下でかつ所定の下限値以上である場合，前記カード挿入部の前面側に前記異物が取り付けられたか否かを判別する異物検知処理の際に前記温度センサで測定される前記異物検知装置の周囲温度に応じた温度補正処理を実行し，前記温度センサで測定される前記異物検知装置の周囲温度が前記上限値を超えるか前記下限値未満である場合，前記異物検知装置に異常が生じているとして，異常処理を実行する」ものであるが，引用発明ではそのようになっていない点で相違する。
（オ）以上の（ア）〜（エ）によると，補正発明１と引用発明は以下の点で一致し，また，相違する。
（一致点）
「カードに記録された磁気データの読取および／または前記カードへの磁気データの記録を行う磁気ヘッドを備えるカードリーダにおいて，
　前記カードが挿入される挿入口が形成されるカード挿入部と，前記カード挿入部の前面側に異物が取り付けられたことを検知するための異物検知装置と，前記カードリーダを制御する制御部とを備え，
　前記異物検知装置は，磁性材料で形成されるコアと，前記コアに巻回される励磁用コイルおよび検出用コイルとを備え，
　前記制御部は，前記カード挿入部の前面側に前記異物が取り付けられたか否かを判別する異物検知処理により，異常処理を実行することを特徴とするカードリーダ。」
　　
（相違点）
＜相違点１＞
　補正発明１では「前記異物検知装置の近傍に配置され前記異物検知装置の周囲温度を測定する温度センサ」を備えているのに対し，引用発明は備えていない点。
＜相違点２＞
　補正発明１では「前記温度センサは，前記励磁用コイルの端部および前記検出用コイルの端部が接続される端子が実装された中継基板に実装されるとともに，前記中継基板の，前記端子が接続されるランドの近傍に実装され」ているのに対し，引用発明はそのようになっていない点。
＜相違点３＞
　補正発明１では「前記制御部は，前記温度センサからの出力信号を継続的に監視するとともに，前記温度センサで測定された前記異物検知装置の周囲温度が所定の上限値以下でかつ所定の下限値以上である場合，前記カード挿入部の前面側に前記異物が取り付けられたか否かを判別する異物検知処理の際に前記温度センサで測定される前記異物検知装置の周囲温度に応じた温度補正処理を実行し，前記温度センサで測定される前記異物検知装置の周囲温度が前記上限値を超えるか前記下限値未満である場合，前記異物検知装置に異常が生じているとして，異常処理を実行する」ものであるが，引用発明ではそのようになっていない点。
　　　
ウ．判断
　上記相違点１〜３は，どれも「温度センサ」に関する相違点であるのでまとめて検討する。
　上記引用例２記載技術によれば，決済端末の内部に温度センサを設け，スキミング装置を設置するための不正工作を，上記温度センサにより計測した決済端末内の温度があらかじめ設定されている温度範囲に収まっているかにより検出するものが示されてはいるが，そもそも補正発明１の「異物検知装置」との配置関係，つまり相違点１でいう「前記異物検知装置の近傍に配置され前記異物検知装置の周囲温度を測定する」点，及び，相違点２の「前記温度センサは，前記励磁用コイルの端部および前記検出用コイルの端部が接続される端子が実装された中継基板に実装されるとともに，前記中継基板の，前記端子が接続されるランドの近傍に実装され」る点，また，「異物検知装置」との協同処理である相違点３の「前記カード挿入部の前面側に前記異物が取り付けられたか否かを判別する異物検知処理の際に前記温度センサで測定される前記異物検知装置の周囲温度に応じた温度補正処理を実行」する点については，記載も示唆もない。
　また，上記相違点３の「前記カード挿入部の前面側に前記異物が取り付けられたか否かを判別する異物検知処理の際に前記温度センサで測定される前記異物検知装置の周囲温度に応じた温度補正処理を実行」する点について，上記引用例３記載技術によれば，紙幣入金機において異物である金属物を検知するための検知コイルの発振周波数が，温度や印加電圧の変動によって変化するために，検知精度に問題があるという課題があるという点において，上記相違点３の「温度補正処理」と共通の課題であるとはいえるものの，そもそも引用例３記載技術では温度センサを使用したものではないから，引用発明に当該引用例３記載技術を適用しても上記相違点３の「温度補正処理」の構成とはならないことは明らかであるし，また，引用発明に上記引用例２記載技術の温度センサを適用し，さらに上記引用例３記載技術を適用するとしても，上述したようにこの温度センサは「異物検知装置」と協同処理するためのものではないから，上記相違点３の「温度補正処理」の構成が導き出せるものではない。
　してみれば，上記引用例２記載技術，及び引用例３記載技術を適用したとしても，上記相違点１−３を当業者が容易に想到し得たものということはできない。
　したがって，補正発明１は，引用発明，引用例２記載技術，及び引用例３記載技術に基づいて，当業者が容易に発明をすることができたものとはいえない。
　よって，本件補正の補正事項１及び２は，特許法第１７条の２第６項において準用する同法第１２６条第７項の規定に適合する。
　
（２）請求項６について
　本件補正による補正事項３は，請求項６に記載した発明を特定するために必要な事項である「温度センサ」について，明細書の第【００４７】段落の記載に基づき「前記中継基板の，前記端子が接続されるランドの近傍に実装され」との限定を付加するものである。
　また，本件補正による補正事項４は，請求項６に記載した発明を特定するために必要な事項である「制御部」について，本件補正前の平成２７年３月２３日付け手続補正による特許請求の範囲の請求項６の記載に基づき「前記温度センサからの出力信号を継続的に監視するとともに」との限定を付加するものである。
　そして，本件補正前の請求項７に記載された発明と本件補正後の請求項６に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項６に記載された発明（以下，「補正発明２」という。）が特許法第１７条の２第６項において準用する同法第１２６条第７項の規定に適合するか（特許出願の際独立して特許を受けることができるものであるか）について以下に検討する。
　
ア．引用例
　上記第２．３．（１）ア．に示したとおりである。
　　
イ．対比
　補正発明２と引用発明を対比する。
　補正発明２は，補正発明１における「異物検知装置」に代えて，「磁界を発生させる磁界発生装置」としたものであるが，引用発明の「金属センサ１３」も磁界を発生させる磁界発生装置であることは明らかであることから，補正発明１と同様に以下の点で相違するものである。
＜相違点１＞
　補正発明２では「前記磁界発生装置の近傍に配置され前記磁界発生装置の周囲温度を測定する温度センサ」を備えているのに対し，引用発明は備えていない点。
＜相違点２＞
　補正発明２では「前記温度センサは，前記励磁用コイルの端部および前記検出用コイルの端部が接続される端子が実装された中継基板に実装されるとともに，前記中継基板の，前記端子が接続されるランドの近傍に実装され」ているのに対し，引用発明はそのようになっていない点。
＜相違点３＞
　補正発明２では「前記制御部は，前記温度センサからの出力信号を継続的に監視するとともに，前記温度センサで測定された前記磁界発生装置の周囲温度が所定の上限値以下でかつ所定の下限値以上である場合，前記温度センサで測定される前記磁界発生装置の周囲温度に応じた温度補正処理を実行し，前記温度センサで測定される前記磁界発生装置の周囲温度が前記上限値を超えるか前記下限値未満である場合，前記磁界発生装置に異常が生じているとして，異常処理を実行する」ものであるが，引用発明ではそのようになっていない点。
　　
ウ．判断
　上記相違点について検討する。
　上記相違点については，補正発明１と同様の相違点であり，前記第２．３．（１）ウ．で示したように，上記引用例２記載技術，及び引用例３記載技術を適用しても，上記相違点１−３を当業者が容易に想到し得たものということはできない。
　したがって，補正発明２は，引用発明，引用例２記載技術，及び引用例３記載技術に基づいて，当業者が容易に発明をすることができたものとはいえない。
　よって，本件補正の補正事項３及び４は，特許法第１７条の２第６項において準用する同法第１２６条第７項の規定に適合する。
　　
（３）補正事項５について
　補正事項５は，本件補正前の請求項６を削除するものであり，特許法第１７条の２第５項第１号の請求項の削除を目的とするものに該当する。
　　
３．むすび
　以上のとおりであるから，本件補正は，特許法第１７条の２第３項ないし第６項の規定に適合する。
  　
第３．本願発明
　本件補正は，上記のとおり，特許法第１７条の２第３項ないし第６項の規定に適合するから，本願発明は，本件補正により補正された特許請求の範囲の請求項１−８に記載された事項により特定されるとおりのものである。
　そして，本件補正により補正された請求項１に係る発明（補正発明１）及び請求項６に係る発明（補正発明２）は，上記第２．３．のとおり，当業者が引用発明，引用例２記載技術，及び引用例３記載技術に基づいて容易に発明をすることができたものではない。
　また，請求項１を直接または間接的に引用する請求項２−５は，補正発明１をさらに限定した発明であり，また，請求項６を直接または間接的に引用する請求項７及び８は，補正発明２をさらに限定した発明であるから，同様に当業者が引用発明，引用例２記載技術，及び引用例３記載技術に基づいて容易に発明をすることができたものではない。
　したがって，本願については，原査定の拒絶理由を検討してもその理由によって拒絶すべきものとすることはできない。
　また，他に本願を拒絶すべき理由を発見しない。
　　
　よって，結論のとおり審決する。